(57)【特許請求の範囲】
【請求項１】
立設面とこの立設面に対し斜めとなる傾斜面とを含む断面が五角形以上の多角形状を成すケース内に、飛翔昆虫を誘引するための誘虫ランプと、この誘虫ランプにより誘引された飛翔昆虫を捕獲するための捕虫部材とを配し、
前記立設面と傾斜面とに、飛翔昆虫が前記ケース内に侵入するための開口部を設けると共に、
前記立設面の下縁と連接する傾斜面に設けられた開口部に、複数のプレートを、所定の間隔を空けて並列的に配することにより、前記開口部を複数の隙間に分け、
隣り合うプレートは、一方のプレートの下端部位と他方のプレートの上端部位とで斜め下方から見た場合に前記隙間を隠蔽するように配置されていることを特徴とする捕虫器。
【請求項２】
前記ケースは、２つの立設面と、この立設面の上下縁に連接し該立設面に対し斜めとなる４つの傾斜面と、この傾斜面の上下縁に連接する２つの水平面とを有する断面が八角形状のものであることを特徴とする請求項１に記載の捕虫器。
【請求項３】
前記捕虫部材は、少なくとも粘着部材がその上面に配されたシートを備えたものであることを特徴とする請求項１に記載の捕虫器。
【請求項４】
前記ケースの短手方向に延びる面に開口部を設けたことを特徴とする請求項１又は２に記載の捕虫器。
【発明の詳細な説明】
【０００１】
【発明の属する技術分野】
この発明は、誘虫ランプで誘引した蚊、ハエ、羽虫、蛾等の飛翔昆虫を捕虫部材により捕獲する捕虫器の構造に関する。
【０００２】
【従来の技術】
蚊、ハエ、羽虫、蛾等の衛生上好ましくない飛翔昆虫を駆除するには、飛翔昆虫の走光性を利用して蛍光灯等で飛翔昆虫を誘引し、この誘引された飛翔昆虫を粘着部材を表面に配した捕虫部材で捕獲することが効果的であるが、このような誘虫ランプと捕虫部材とで構成された捕虫器は、特開平９−２０５９６２号公報及び特開平１０−９９００１号公報に示されるように、既に公知となっているものである。
【０００３】
このうち、特開平１０−９９００１号公報において飛翔昆虫検知装置として示される捕虫器は、誘虫ランプが取りつけられるベースとこのベースの下方に取り付けられた断面が略半円状の透明なケーシングとでなる容器内に誘虫ランプを設けると共に、その誘虫ランプの下方に捕虫シートを配し、更にケーシングの底面に飛翔昆虫の侵入口を設ける構成をなしている。
【０００４】
一方、特開平９−２０５９６２号公報に示される捕虫器は、略直方体状の粘着物質保持枠内に誘虫ランプを設けると共に、その粘着物質保持枠の底部に捕虫紙が載置された捕虫紙支持皿を配置した構成のもので、粘着物質保持枠の誘虫ランプの長手方向側面において、その側面の大部分を占める大きな窓が開口していると共に、誘虫ランプの短手方向側面においても、その側面の大部分を占める大きな窓が開口している。
【０００５】
【発明が解決しようとする課題】
しかしながら、前述した飛翔昆虫検知装置の構成では、ケーシングの底部に設けられた侵入口以外は閉塞されているので、飛翔昆虫の入る場所が限定され、飛翔昆虫の誘引効率が低いという不具合を有する。また、ベースには誘虫ランプを取り付けるため開口部を形成し難く、これにより、捕虫器の上方には誘虫ランプの光が一切届かないという不具合も有する。更には、この飛翔昆虫検知装置は、ケーシングが透明で、しかもその底側に侵入口が形成されているので、下方から見た場合には、捕獲された飛翔昆虫が目視される。このため、例えば飲食店等の店内においてこの飛翔昆虫検知装置を天井から吊り下げる等して高所に設置した場合には、来客が飛翔昆虫検知装置内の飛翔昆虫を見て不快感を感じ、飲食店に対し非衛生的であるとの印象を受けるので、飲食店は営業的に著しい不利益を被る虞れもある。
【０００６】
また、後述した捕虫器の構成では、前記飛翔昆虫検知装置よりは開口総面積が大きいものの、底部に捕虫紙が載置された捕虫紙支持皿を配置し、その上部には誘虫ランプを設置するための器具を取り付ける必要性があるので、粘着物質保持枠の上部側及び底部側に窓を設けることが困難であり、光の出る窓が立設面に限定され、十分な光の拡散領域を得られないという不具合を有する。
【０００７】
これに対し、開口総面積を大きくすると同時に、光の出る角度を広角にして光の拡散領域を拡大するために、例えば捕虫器のケースを断面が五角形以上の多角形状とし、立設面及びこの立設面に対し斜めとなる傾斜面に開口部を設けることが考えられる。もっとも、下方に位置する傾斜面に開口部を設けたのみでは、この開口部から捕獲された飛翔昆虫が目視され易くなるので、この捕虫器を飲食店内の高所に設置した場合には先述した飛翔昆虫検知装置と同様に来客に不快感を与えるという不具合が思慮される。
【０００８】
そこで、この発明は、誘虫ランプからケースの外に出る光の拡散領域を拡大することにより、飛翔昆虫の誘引率を上げることと、下方から見ても開口部からケース内部の捕獲された飛翔昆虫が目視されるのを防止することとを兼ね備えた捕虫器を提供することを目的とする。
【０００９】
【課題を解決するための手段】
しかして、この発明に係る捕虫器は、立設面とこの立設面に対し斜めとなる傾斜面とを含む断面が五角形以上の多角形状を成すケース内に、飛翔昆虫を誘引するための誘虫ランプと、この誘虫ランプにより誘引された飛翔昆虫を捕獲するための捕虫部材とを配し、前記立設面と傾斜面とに、飛翔昆虫が前記ケース内に侵入するための開口部を設けると共に、前記立設面の下縁と連接する傾斜面に設けられた開口部に、複数のプレートを、所定の間隔を空けて並列的に配することにより、前記開口部を複数の隙間に分け、隣り合うプレートは、一方のプレートの下端部位と他方のプレートの上端部位とで斜め下方から見た場合に前記隙間を隠蔽するように配置されたものとなっている（請求項１）。ここで、前記ケースは、２つの立設面と、この立設面の上下縁に連接し該立設面に対し斜めとなる４つの傾斜面と、この傾斜面の上下縁に連接する２つの水平面とを有する断面が八角形状のものとすることが考えられる（請求項２）。そして、前記捕虫部材は、少なくとも粘着部材がその上面に付着されたシートを備えたものとしても良い（請求項３）。
【００１０】
これにより、ケースを五角形以上の多角形状とし、立設面とこの立設面に対し斜めとなる傾斜面とに開口部を設けるので、捕虫器の開口総面積が大きくなると共に、捕虫器に対し短手方向から見た場合には、誘虫ランプから出る光の角度も広角的となる。しかも、立設面の下縁に連接する傾斜面に設けられた開口部は、プレートにより複数の隙間に分けられても当該隙間から光が十分に出る一方で、斜め下方から見た場合にこの隙間がプレートにより隠蔽される。従って、捕虫器を高所に設置しても、捕虫部材に捕獲された状態の飛翔昆虫が目視されることなく、光の拡散領域を拡大させることができる。
【００１１】
また、前記ケースの短手方向に延びる面に開口部を設けるようにしても良く（請求項４）、これにより、捕虫器の開口総面積が更に大きくなり、光の拡散領域も一層拡大される。
【００１２】
【発明の実施の形態】
以下、この発明の実施の形態を図面により説明する。
【００１３】
図１から図７において、本発明に係る捕虫器１の一例が示されており、この捕虫器１は、内部が空洞のケース２内に、誘虫ランプ３と、捕虫部材４とを配することで構成されている。
【００１４】
このうち、誘虫ランプ３は、誘虫効果を生ずる紫外線領域の光を発するランプ、例えば公知の蛍光灯等が用いられるもので、その取り付け手段も、その両端に設けられた電極をケース上面の内側に設けられたソケットに係合させる等といった公知の手段によって行われ、これにより、誘虫ランプ３は、ケース２に着脱自在に取り付けられる。
【００１５】
捕虫部材４は、前記誘虫ランプ３の略真下側に配されるもので、捕虫シート５が収納されたボックス６と、この捕虫シート５の先端に取り付けられた引出固定用取手部７とで構成されており、ボックス６をケース２底面の内側に設けられた固定枠８に備え付け、ボックス７の孔から引出固定用取手部７を引っ張って、捕虫シート５を引き出した後、引出固定用取手部７をケース２底面の内側に設けられた引掛部９に引き掛けることで、ケース２に着脱自在に取り付けられる。この捕虫シート５は、その表面に粘着部材が付着した紙等で形成されており、これにより、蚊、ハエ、羽虫、蛾等の飛翔昆虫が捕獲される。
【００１６】
ケース２は、水平方向に延びる上面１０と、この上面１０と平行に延びる底面１１と、水平方向に対し立設した２つの立設面１２，１２と、前記立設面１２に対し斜めとなると共に、前記立設面１２の上縁及び上面１０の縁と連接する２つの上側傾斜面１３，１３と、前記立設面１２に対し斜めとなると共に、前記立設面１２の上縁及び底面１１の縁と連接する下側傾斜面１４，１４とを備えた、断面が八角形のものである。この上面１０、底面１１、立設面１２、上側傾斜面１３及び下側傾斜面１４は、連接する１０乃至１４の縁の方がこの縁と交わる非連接側の縁よりも長い略長方形状をなしている。そして、このケース２は、特に図３に示される様に、立設面１２の下縁と下側傾斜面１４の上縁との境に合わせ目があり、上面１０，上側傾斜面１３，立設面１２を備えた上側ケース２ａと、底面１１，下側傾斜面１４を備えた下側ケース２ｂとに分離することができるようになっている。
【００１７】
また、ケース２の上側傾斜面１３、立設面１２、下側傾斜面１４には、誘虫ランプ３の光をケース２外に出し、かつこの光に誘引された飛翔昆虫が侵入するための開口部１５が形成されている。この開口部１５は、各面１２，１３，１４の長手方向の縁と平行な辺の方が各面１２，１３，１４の短手方向の縁と平行な辺よりも長い略長方形状をなしているもので、その大きさは各面１２，１３，１４の面積の大部分を占めている。そして、捕虫器１の強度を高める等のために、各開口部１５には開口部１５の短手方向に延びる細長い支持部１６が９個渡っている。但し、当然ながら開口部１５に渡らせる支持部１６の数はこの９個に限定されるものではない。
【００１８】
また、下側傾斜面１４に形成された開口部１５は、この開口部１５の短手方向に所定の間隔を空けて４個のプレート１７が並設されており、これにより、開口部１５は、図５に示される様に、スリット状の３つの隙間１８に分けられたものとなっている。但し、プレート１７の数もこの４個に限定されるものではない。
【００１９】
そして、このプレート１７は、その上端が下端よりもケース２外側に向くように若干傾斜していると共に、隣合うプレート１７において、上縁面と下縁面とが同一線上になるか、上縁と下縁とが一部重複するように配列されている。
【００２０】
以上の構成によれば、本発明の捕虫器１は、その上側傾斜面１３、下側傾斜面１４及び立設面１２に開口部１５を設けるので、その長手方向寸法及び短手寸法が同じ略直方体状の捕虫器について、その長手方向の側面にのみ開口部を設けた場合に比較して、例えば約１．４倍の開口総面積を得ることができる。しかも、捕虫器１を短手方向から見た場合に、誘虫ランプ３の光がその誘虫ランプ２を中心として上側傾斜面１３の開口部１５、立設面１２の開口部１５及び下側傾斜面１４の開口部１５から広角的にケース外に出る。このため、この発明に係る捕虫器１の光の拡散領域を拡大することができる。
【００２１】
また、捕虫器１の短手方向において水平方向から捕虫器１を見た場合には、このプレート１７により開口部１５が見た目上閉塞された状態となり、ケース２内部が隠蔽される。また、真下から捕虫器１を見た場合には、プレート１７間の隙間１８からケース２の上面１０、上側傾斜面１３が見えるのみで、捕虫部材４の捕虫シート５は底面１１上に近接して配置されているので目視されることがない。更に、斜め下方から捕虫器１を見た場合でも、図６の▲１▼の位置から見た場合には、その視線を示す破線から判るように、捕虫シート５の上側部分がプレート１７間の隙間１８から僅かに垣間見える程度である。また、図６の▲２▼の位置から見た場合には、その視線を示す一点鎖線から判るように、捕虫シート５の上側部分と中間部分とがプレート１７間の隙間１８から僅かに垣間見えるが、その見える範囲はプレート１７に遮られて極めて狭いものとなるので、捕虫シート５に捕獲されている飛翔昆虫を認識することができる程度での視覚はなされない。そして、図６の▲３▼の位置から見た場合には、その視線を示す二点鎖線から判るように、捕虫シート５は殆ど見えず、捕虫シート５に捕獲されている飛翔昆虫を認識することができない。その一方で、誘虫ランプ３の光は、プレート１７間の隙間１８からケース２外に出るので、プレート１７により光がそれ程遮蔽されることがない。
【００２２】
ところで、この捕虫器１は、ケースの短手方向に延びる面からは、この捕虫器１の断面となる八角形よりもその周囲が一回り小さな断面が八角形状の突起部１９が突出形成されていると共に、その短手方向に延びる面の側部の縁辺と突起部１９との間には、上下部分を除いて６個の略台形状の開口部２０が環状に設けられている。これにより、開口総面積が拡大するのみならず、捕虫器１の短手方向側方から誘虫ランプ３の光が出るので、光の拡散領域が拡大することとなり、捕虫効果をより効率的にすることができる。
【００２３】
最後に、この捕虫器１の使用状態を説明すると、ケース２の上面１０の長手方向両側に孔が形成された吊下部２１を配し、この吊下部２１の孔に鎖状の吊下げ部材２２を引き掛けて、天井に吊るすことにより、高所に配置されるようになっている。また、誘虫ランプ３は、引き紐２３により点灯及び消灯をすることができるようになっている。
【００２４】
【発明の効果】
以上により、この発明に記載の捕虫器によれば、ケースを五角形以上の多角形状とし、立設面とこの立設面に対し斜めとなる傾斜面とに開口部を設けたため、捕虫器の開口総面積が大きくなると共に、捕虫器の短手方向から見た場合には広角的にケースから光が出るので、光の拡散領域が拡大され、飛翔昆虫の誘引率を高めることができる。そして、立設面の下縁と連接する傾斜面の開口部をプレートにより複数の隙間に分けられ、この隙間から光が外部に出る一方で、下方から見た場合にプレートによりこの隙間が隠蔽されるので、捕虫器を高所に設置しても捕虫部材に捕獲された状態の飛翔昆虫が視覚される程度に目視されることもない。
【００２５】
そして、特に請求項４に記載の捕虫器によれば、更に開口総面積が大きくなり、光の拡散領域を拡大することができるので、一層飛翔昆虫の誘引率を高めることができる。
【図面の簡単な説明】
【図１】図１は、本願発明に係る捕虫器を長手方向側方から見た構成を示す説明図である。
【図２】図２は、図１で示す捕虫器のＡ−Ａ線の断面を適宜拡大した断面拡大図である。
【図３】図３は、図１で示す捕虫器のＢ−Ｂ線の断面を適宜拡大した断面拡大図である。
【図４】図４は、図１で示す捕虫器のＣ−Ｃ線の断面図である。
【図５】図５は、図４で示す下側傾斜面の開口部における要部拡大図である。
【図６】図６は、下方から捕虫器を見た場合にプレートにより捕虫シ−トが隠蔽される状態と、誘虫ランプからケース外に光が出る状態を示す説明図である。
【図７】図７は、この捕虫器の使用状態を示す説明図である。
【符号の説明】
１  捕虫器
２  ケース
３  誘虫ランプ
４  捕虫部材
５  捕虫シート
１０  上面
１１  底面
１２  立設面
１３  上側傾斜面
１４  下側傾斜面
１５  開口部
１６  支持部
１７  プレート
１８  隙間
２０  開口部
【図１】
0003726206.tif 000002
【図２】
0003726206.tif 000003
【図３】
0003726206.tif 000004
【図４】
0003726206.tif 000005
【図５】
0003726206.tif 000006
【図６】
0003726206.tif 000007
【図７】
0003726206.tif 000008